(57)【特許請求の範囲】
【請求項１】
枠体側面に吸込口を上面に吹出口を備え、内部には蒸発器と凝縮器と送風ファンを設け、前記吸込口と前記蒸発器、前記凝縮器、前記送風ファン、前記吹出口を連通して送風経路を形成し、前記送風ファンのファンガイド部と、前記蒸発器と前記凝縮器の上部を固定する上部固定部とを樹脂材料にて一体に形成したファンケースを備え、前記蒸発器と前記凝縮器をドレン皿と前記上部固定部の間に固定する除湿機に於いて、
前記上部固定部は固定部中央と固定部左右で形成し、前記固定部中央と前記固定部左右の間に第１肉薄部を、前記固定部中央と前記ファンガイド部の間で前記第１肉薄部と直交する第２肉薄部を設け、
前記第１肉薄部にて前記固定部中央と前記固定部左右をコの字状に折り曲げると共に、前記第２肉薄部にて前記固定部中央と前記ファンガイド部をくの字状に折り曲げることで前記蒸発器と前記凝縮器の上部を固定することを特徴とする除湿機。
【請求項２】
前記ファンガイド部または前記固定部左右に折り曲げ状態を保持する係止手段を設けたことを特徴とする請求項１記載の除湿機。
【請求項３】
枠体側面に吸込口を上面に吹出口を備え、内部には蒸発器と凝縮器と送風ファンを設け、前記吸込口と前記蒸発器、前記凝縮器、前記送風ファン、前記吹出口を連通して送風経路を形成し、
前記蒸発器の下方にドレン皿を設け、このドレン皿の下方に排水タンクを備え、この排水タンクを収納するタンク室を形成する仕切壁部と、
前記送風ファンのファンガイド部と、前記蒸発器と前記凝縮器の上部を固定する上部固定部とを樹脂材料にて一体に形成したファンケースを備え、前記蒸発器と前記凝縮器を前記ドレン皿と前記上部固定部の間に固定する除湿機に於いて、
前記仕切壁部の上部にドレン皿取付部を形成し、このドレン皿取付部に前記ドレン皿を取り付け、
前記上部固定部は固定部中央と固定部左右で形成し、前記固定部中央と前記固定部左右の間に第１肉薄部を、前記固定部中央と前記ファンガイド部の間で前記第１肉薄部と直交する第２肉薄部を設け、
前記第１肉薄部にて前記固定部中央と前記固定部左右をコの字状に折り曲げると共に、前記第２肉薄部にて前記固定部中央と前記ファンガイド部をくの字状に折り曲げることで、前記ドレン皿と上部固定部の間に前記蒸発器と前記凝縮器を固定することを特徴とする除湿機。
【請求項４】
前記ドレン皿取付部は前記仕切壁部の上面に段部を形成し、薄い皿状の前記ドレン皿を前記段部に嵌め込んで取付け、前記ドレン皿と前記上部固定部の間に前記蒸発器と前記凝縮器を固定することを特徴とする請求項３記載の除湿機。
【発明の詳細な説明】
【技術分野】
【０００１】
一般家庭で使用される小型の除湿機に関するものである。
【背景技術】
【０００２】
従来よりこの種のものに於いては、枠体側面に吸込口を上面に吹出口を備え、内部に蒸発器と凝縮器と送風ファンを備え、前記吸込口と蒸発器、凝縮器、送風ファン、吹出口を連通して送風経路を形成し、前記蒸発器と凝縮器をドレン皿と上部固定部材の間に固定する除湿機に於いて、前記送風ファンのファンガイド部と上部固定部とドレン皿部を樹脂材料にて一体に形成された板状の熱交固定部材を備え、熱交固定部材において、ファンガイド部の一端には上部固定部が、他端にはドレン皿部が配置され、ファンガイド部と上部固定部の間、及びファンガイド部とドレン皿部の間にそれぞれ折曲可能な肉薄部を形成し、肉薄部を中心として上部固定部とドレン皿部をコの字状に折り曲げて、蒸発器と凝縮器を挟み込み固定することで、金型費の削減や組立作業の簡素化を行うものであった。（例えば、特許文献１参照）
【先行技術文献】
【特許文献】
【０００３】
【特許文献１】特許４０３４１８１号公報
【発明の概要】
【発明が解決しようとする課題】
【０００４】
このような従来例では、上部固定部の左右端に熱交換器側に突出して形成された固定片で、前記蒸発器と凝縮器の銅管の上部を上方から押さえて固定するものであるが、蒸発器と凝縮器は多数のアルミニュームフィンに銅管を貫通して、多数のアルミニュームフィンの間を通過する空気と銅管内に流れる冷媒との間で熱交が行われるフィンチューブ式の熱交換器であるために、アルミニュームフィンは厚さが約０．１ｍｍであるためフィン端部に外力が加われば直ちに折れ曲がることで空気の通過を阻害することで熱交換の性能低下を招くものであるために、前記固定片でアルミニュームフィンを折り曲げないように繊細な組立作業を必要とし、誤ってアルミニュームフィンを潰したり折り曲げた場合には、アルミニュームフィンを正規の状態に戻す修正作業等の余計な作業が必要になる問題があった。
また、除湿機全体の低価格化のために、更なる製造コストの削減が必要なものであった。
【課題を解決するための手段】
【０００５】
この発明はこの点に着目し上記欠点を解決する為、特にその構成を、枠体側面に吸込口を上面に吹出口を備え、内部には蒸発器と凝縮器と送風ファンを設け、前記吸込口と前記蒸発器、前記凝縮器、前記送風ファン、前記吹出口を連通して送風経路を形成し、前記送風ファンのファンガイド部と、前記蒸発器と前記凝縮器の上部を固定する上部固定部とを樹脂材料にて一体に形成したファンケースを備え、前記蒸発器と前記凝縮器をドレン皿と前記上部固定部の間に固定する除湿機に於いて、前記上部固定部は固定部中央と固定部左右で形成し、前記固定部中央と前記固定部左右の間に第１肉薄部を、前記固定部中央と前記ファンガイド部の間で前記第１肉薄部と直交する第２肉薄部を設け、前記第１肉薄部にて前記固定部中央と前記固定部左右をコの字状に折り曲げると共に、前記第２肉薄部にて前記固定部中央と前記ファンガイド部をくの字状に折り曲げることで前記蒸発器と前記凝縮器の上部を固定するようにしたものである。
【発明の効果】
【０００６】
この発明によれば、固定部左右の折り曲げ角度の調整を熱交換器の位置や状態に応じて簡単に変更できるので、組立作業が容易になり、フィン端部の潰れや折り曲げが少なくなり、作業効率が向上する。
また、固定部中央と固定部左右を略平面に成型することによって、金型を小さくすることができるので、金型費の削減をすることができる。
また、ファンガイド部または固定部左右に折り曲げ状態を保持する係止手段設けたので、組立作業時に第１肉薄部と第２肉薄部の折り曲げ状態を大まかに保持することで組立作業を更に簡単にするものである。
また、熱交換器をのせるドレン皿を仕切壁部の上に備えた段部に、嵌め込み式で簡単に固定することで、組立作業を更に簡単にするものである。
【図面の簡単な説明】
【０００７】
【図１】この発明一実施例の斜視図。
【図２】同側面の断面図。
【図３】同要部の斜視図。
【図４】同ファンケースへのドレン皿と熱交換器の取付を表す分解斜視図。
【図５】同ファンケースの正面図。
【図６】同ファンケースの左側面図。
【発明を実施するための形態】
【０００８】
次にこの発明に係る除湿機を図面に示された一実施例で説明する。
１は除湿機の本体で底板２上に右側方の右ケース３と左側方の左ケース４と前面を覆う前ケース５を設けて本体の外郭を構成している。
６は前記右ケース３上部に形成された吸込口で、横長のスリットを多数備えた開口が設けられ、室内の空気を吸引する。
【０００９】
前記吸込口６の内側には樹脂製の網や不織布から成り吸入空気に混入するホコリを取り除くフィルタ７を備えている。このフィルタ７の内側には蒸発器８を備える、この蒸発器８は、多数のアルミニュームフィン８Ａに銅管８Ｂを貫通して、多数のアルミニュームフィン８Ａの間を通過する空気と銅管８Ｂ内に流れる冷媒との間で熱交が行われるフィンチューブ式の熱交換器であり、前記アルミニュームフィン８Ａは厚さが約０．１ｍｍであるためフィン８Ａ端部に外力が加われば直ちに折れ曲がることで空気の通過を阻害することで熱交換の性能低下を招くものである。前記銅管８Ｂ内を冷たい冷媒が通過すると同時に冷却されたフィン８Ａの間を吸込空気が通過する時に空気が冷却されると共に、空気中の水分が蒸発器８の表面に結露して除湿が行われ、ドレン水が発生する。
【００１０】
前記蒸発器８の更に内側で下流には、蒸発器８と同じくフィンチューブ式の熱交換器からなり高温の凝縮器９を備え、蒸発器８にて冷却除湿された空気の加熱を行う。
前記凝縮器９の更に下流にはシロッコファン型の送風ファン１０及びこのファン１０を駆動するファンモータ１１を設けている。
【００１１】
前記左ケース４の内側でファンモータ１１との間には送風ファン１０を包囲して前記吹出口１２側へ送風を導くファンケース１３を備え、このファンケース１３の中央からやや前方上部にはスタビライザ（図示せず）を設け、上方向の吹出口１２へ向かって送風するものである。
【００１２】
前記吹出口１２は左ケース４上面の開口で一体に形成され、吹出口１２上部には吹出空気の方向を調整する水平ルーバー１４を設けている、この水平ルーバー１４は回転軸１５を中心に回動自在であり、回動によって左側水平方向から真上方向の間（約９０度）の風向を変化し、除湿機の運転停止時には自動で、水平方向吹出位置にて収納される。
【００１３】
前記送風ファン１０からの送風は水平ルーバー１４に向けて送風され、水平ルーバー１４が開いた状態では、乾燥空気を真上方向に送風することで除湿機の上方に位置する洗濯物の乾燥が効率よく行われる。また、水平ルーバー１６が閉じた状態（水平方向吹出位置）では、乾燥空気を左側方向に水平に送風することで室内全体の除湿や押し入れ等の部分的な除湿運転に適するものである。
【００１４】
前記吸込口６と蒸発器８、凝縮器９、送風ファン１０、吹出口１２を連通して送風経路１６を形成している。１７は除湿機運搬用の取手で、前記右ケース３と左ケース４の上部に一体に形成されている。
【００１５】
前記蒸発器８の下方には蒸発器８の表面に結露したドレン水を受けるドレン皿１８を設けている。１９は一方をこのドレン皿１８の底面に接続し、他方を排水タンク２０の上部に位置させた排水路で、前記ドレン皿１８で集めた結露水を前記排水タンク２０へ導くものである。この排水タンク２０は右ケース３の下部と底板２の間に右方向からスライドして着脱するものであり、除湿機の運転で発生するドレン水を蓄え、満水等必要に応じて除湿機から取り外し溜まったドレン水を捨てる作業が行われる。
【００１６】
２１は透明なプラスチック材料で形成された略直方体のタンクケースで、上方には開口部２２を備え、この開口部２２に面する後ろ側左角に排水部（図示せず）を、前側左角に満水検知部（図示せず）を設けている。また、タンクケース２１の右側面は前記右ケース３に備えた開口を覆って除湿機本体１外表面の一部を構成する。前記右側面の下部には横長で凹みによって排水タンク２０を引き出すための手掛け部２６を備え、タンクケース２１左上部の前記排水部２３と満水検知部の間には水捨て時に使用するタンク取手（図示せず）を設けている。また、前記開口部２２には蓋２８が取り付けられている。
【００１７】
２９は前記前ケース５の上面に設けられた操作部で、運転スイッチやタイマースイッチ等のスイッチ類３０や運転ランプ等の表示部３１を備え、前記操作部２９の裏面であり、下方にはスイッチやランプが固定され、回路構成を備えた操作部基盤（図示せず）が設けられている。
【００１８】
前記ファンケース１３は排水タンク２０を収納するタンク室１００を形成する仕切壁部１０１と、前記送風ファン１０のファンガイド部１０２と、前記蒸発器８と凝縮器９の上部を固定するための上部固定部１０３とを、ポリプロピレン等の樹脂材料にて一体に形成したものである。前記上部固定部１０３は固定部中央１０４と固定部左右１０５で形成し、前記固定部中央１０４の左右側で固定部左右１０５の間には樹脂の厚さを部分的に薄くしてヒンジ状に簡単に折り曲げ可能にした、２本の第１肉薄部１０６を設けている。また、前記固定部中央１０４とファンガイド部１０２の間には、前記第１肉薄部１０６と同様に厚さを部分的薄くして折り曲げ可能にした第２肉薄部１０７を２本の第１肉薄部１０６の間で、第１肉薄部１０６と直交する角度に設けて、前記固定部中央１０４とファンガイド部１０２の間を折り曲げ可能にする。このことで、前記第１肉薄部１０６にて固定部中央１０４と固定部左右１０５をコの字状に折り曲げると共に、前記第２肉薄部１０７にて固定部中央１０５とファンガイド部１０２をくの字状に折り曲げれば、前記ドレン皿１８に突設した下固定部１８Ａと上部固定部１０３の固定部左右１０５の間に蒸発器８と凝縮器９を挟んで固定する。
【００１９】
前記固定部左右１０５の先端には蒸発器８と凝縮器９の銅管８Ｂと接触する凹部１０８が設けられており、前記蒸発器８と凝縮器９のフィン８Ａは垂直方向に銅管８Ｂは水平方向に配置されているので、組立作業での熱交換器を固定するときに、固定部左右１０５の凹部１０８で銅管８Ｂを上から押圧して固定する際に、固定部左右１０５が水平方向からフィン８Ａに近づくことになり、固定部左右１０５の折り曲げ角度の調整を熱交換器（蒸発器８や凝縮器９）の位置や状態に応じて簡単に変更できるので、フィン８Ａを折り曲げたり、潰して破損することを少なくすることができるものである。
【００２０】
前記ファンガイド部１０２の第２肉薄部１０７近傍で、固定部中央１０４折り曲げ側には一対の係止突起１０９を立設すると共に、この係止突起１０９に対向する固定部左右１０５の外側には係止爪１１０を設けて係止する係止手段とすることで、第１肉薄部１０６と第２肉薄部１０７の折り曲げ形状を一時的に保持して作業性を向上する。
【００２１】
１１１はファンガイド部１０２の中央に備えた送風穴で、この送風穴１１１の更に中央に前記ファンモータ１１を取り付けるリブで形成されたモータ取付部１１２を設けている。
【００２２】
１１３は仕切壁部１０１の上面に形成した段部で、前記仕切壁部１０１およびファンガイド部１０２と一体に形成され、この段部１１３の近傍のファンガイド部１０２に突設したドレン皿係止部１１４を設け、前記段部１１３とドレン皿係止部１１４によってドレン皿取付部１１５を形成する。そして、前記ドレン皿１８端部に備えたドレン皿爪１８Ｂがドレン皿係止部１１４に係止し、薄い皿状の前記ドレン皿１８がスライドして嵌り込むことで、組立作業を更に簡単にすることができる。
【００２３】
作業ラインに於ける組立手順の概略について説明すれば、底板２の所定位置に圧縮機（図示せず）をクッションゴム等を介して載せボルト止めする。次にファンケース１３の仕切壁部１０１下部を底板２の略中央に差し込んでセットする。（予めファンガイド部１０２のモータ取付部１１２にファンモータ１１と送風ファン１０ネジ止め取付されている）次にドレン皿１８をファンケース１３のドレン皿取付部１１５にスライドして嵌め込む。（図４の破線矢印ａ）次にドレン皿１８に備えた下固定部１８Ａに、蒸発器８と凝縮器９とキャピラリーチュブやその他配管が予めロー付けにて接続されたものが置かれる。（破線矢印ｂ）次に圧縮機やその他部品に繋がる配管を蒸発器８や凝縮器９にロー付けする。次に蒸発器８と凝縮器９の上部を固定するために、上部固定部１０３の第１肉薄部１０６と第２肉薄部１０７を２段階に折り曲げそれぞれ係止する。（破線矢印ｃ）それによって極めて簡単に固定でき、蒸発器８と凝縮器９上部のフィン８Ａを破損することも少なくなる。次に外枠である右ケース３と左ケース４、前ケース５が係合やネジ止めによって取付られ、最後に右側面から排水タンク２０がセットされることで除湿機の組立が終了する。
【００２４】
以上説明したように、固定部左右１０５の折り曲げ角度の調整を熱交換器（蒸発器８と凝縮器９）の位置や状態に応じて簡単に変更できるので、組立作業が容易になり、フィン端８Ａ部の潰れや折り曲げが少なくなり、作業効率が向上する。また、固定部中央１０４と固定部左右１０５を略平面に成型することによって、金型を小さくすることができるので、金型費の削減をすることができる。また、ファンガイド部１０２または固定部左右１０５に折り曲げ状態を保持する係止手段１０９・１１０を設けたので、組立作業時に第１肉薄部と第２肉薄部の折り曲げ状態を大まかに保持することで組立作業を更に簡単にするものである。また、熱交換器（蒸発器８と凝縮器９）をのせるドレン皿１８を仕切壁部１０１の上に備えた段部１１３に、嵌め込み式で簡単に固定することで、組立作業を更に簡単にするものである。
【符号の説明】
【００２５】
８  蒸発器
９  凝縮器
１３  ファンケース
１８  ドレン皿
２０  排水タンク
１０１  仕切壁部
１０２  ファンガイド部
１０３  上部固定部
１０４  固定部中央
１０５  固定部左右
１０６  第１肉薄部
１０７  第２肉薄部
１１３  段部
１１５  ドレン皿取付部
【図１】
0006542658.tif 000002
【図２】
0006542658.tif 000003
【図３】
0006542658.tif 000004
【図４】
0006542658.tif 000005
【図５】
0006542658.tif 000006
【図６】
0006542658.tif 000007